(57)【要約】【課題】  作物の収穫作業を行う際、全工程に亘って徒歩で機体に追従する必要がなく、走行速度を速めても作業者が追従できると共に、機体の前後長さを押さえ、作物の引き抜き位置の視認性を高め、確実な引抜収穫作業のできる作物収穫機を提供する。【解決手段】  圃場を走行する左右走行装置１００Ｒ，１００Ｌを設けたメインフレーム１に引抜搬送装置２０を搭載し、引抜搬送装置２０の後部に駆動ケース４を設け、駆動ケース４より後方へ走行操作レバー１０等の操縦操作具を設けたハンドル８を設けた農作物収穫機において、ハンドル８の下方に作業者が立乗り可能な搭乗ステップ１００を上下回動可能に設け、搭乗ステップ１００の下部で左右走行装置１００Ｒ，１００Ｌの真後ろ位置に支持輪１０１を設けて構成する。【選択図】図１
2014007978.tif 000002
【特許請求の範囲】
【請求項１】
圃場を走行する左右走行装置（１００Ｒ，１００Ｌ）を設けたメインフレーム（１）に引抜搬送装置（２０）を搭載し、該引抜搬送装置（２０）の後部に駆動ケース（４）を設け、該駆動ケース（４）より後方へ走行操作レバー（１０）等の操縦操作具を設けたハンドル（８）を設けた農作物収穫機において、
ハンドル（８）の下方に作業者が立乗り可能な搭乗ステップ（１００）を上下回動可能に設け、該搭乗ステップ（１００）の下部で前記左右走行装置（１００Ｒ，１００Ｌ）の真後ろ位置に支持輪（１０１）を設けたことを特徴とする農作物収穫機。
【請求項２】
前記搭乗ステップ（１００）の上下回動軸（１０２）を左右走行装置（１００Ｒ，１００Ｌ）の車軸（８３）よりも前側に設け、搭乗ステップ（１００）の後端部が支持輪（１０１）の接地端より後方に位置することを特徴とする請求項１記載の農作物収穫機。
【請求項３】
前記搭乗ステップ（１００）を収納位置に向けて緩やかに回動するように付勢すると共に、搭乗ステップ（１００）の後端に軟質緩衝材（１０４）を取り付けたことを特徴とする請求項１または請求項２に記載の農作物収穫機。
【請求項４】
前記搭乗ステップ（１００）の地上高を作業者が引抜搬送装置（２０）の先端部を視認出来てさらに引き抜かれて畝上に転がる作物が接触しない範囲で上下調節可能にしたことを特徴とする請求項１から３の何れか１項に記載の農作物収穫機。
【請求項５】
前記左右走行装置（１００Ｒ，１００Ｌ）の片側を移動走行装置（１００Ｌ）として側方へ移動してトレッドを変更可能にし、メインフレーム（１）の前記移動走行装置（１００Ｌ）側に駆動ケース（４）を設け、メインフレーム（１）の引抜搬送装置（２０）で搬送する作物の茎を切断する肩揃え装置（５１）の後方で固定走行装置（１００Ｒ）側に走行操作レバー（１０）等の操縦操作具を設けたハンドル（８）を設けたことを特徴とする請求項１から４の何れか１項に記載の農作物収穫機。
【請求項６】
前記駆動ケース（４）の最下部に左右走行装置（１００Ｒ，１００Ｌ）の出力軸（７８）を設けると共に、エンジン（２）の排気管（１０５）を側方へ向けて設けたことを特徴とする請求項１から５の何れか１項に記載の農作物収穫機。
【請求項７】
前記引抜搬送装置（２０）の先端部の地上高を調整するゲージ輪（７３）の上下調整をハンドル（８）の近くで行えるようにしたことを特徴とする請求項１から６の何れか１項に記載の農作物収穫機。
【発明の詳細な説明】
【技術分野】
【０００１】
本発明は、圃場に植生した根菜類作物の茎葉部を挟持し引き抜いて収穫する農作物収穫機に関するものである。
【背景技術】
【０００２】
従来の農作物収穫機には特許文献１に記載のごとく、作物の植生した畝を跨いで走行しながら機体の前部に設けた引き起こし装置で圃場に倒伏した茎葉部を引き起こしその茎葉部を引抜搬送装置で挟持して引き抜き収穫する構成で、作業者が機体の後部を歩行しながら操縦操作を行う歩行型の農作物収穫機がある。
【先行技術文献】
【特許文献】
【０００３】
【特許文献１】特開２００２−１２５４２７号公報
【発明の概要】
【発明が解決しようとする課題】
【０００４】
前記の従来農作物収穫機は、作物の収穫作業中に機体の後方を作業者が徒歩で付いていく必要があり、多大な労力が必要になるという問題がある。
そして、徒歩で付いていく労力を軽減すべく、作業機の走行速度を低速にすると、収穫作業に要する時間が長くなり、作業能率が低下するという問題がある。
【０００５】
また、引抜搬送装置の後方に位置する駆動装置の後部に操縦部を設けているために、操縦部から引抜搬送装置の先端部までの距離が長くなって、操縦部の後を歩く作業者の身長によっては引抜搬送装置の先端部での作物引き抜き状態が見え難く、作物を引き抜き損なったままで収穫作業が継続されてしまい、後で手作業で作物を引き抜く必要が生じ、作業者の労力が増大するという問題がある。
【０００６】
さらに、引抜搬送装置の後側を駆動装置で塞ぐ構成であるために、引抜搬送装置等をメンテナンスする際は機体側方から行うしかなく、メンテナンス作業に要する時間と労力が増大するという問題がある。
【０００７】
本発明は、従来農作物収穫機の上記問題を解消しようとするものである。
【課題を解決するための手段】
【０００８】
請求項１に記載の発明は、圃場を走行する左右走行装置１００Ｒ，１００Ｌを設けたメインフレーム１に引抜搬送装置２０を搭載し、該引抜搬送装置２０の後部に駆動ケース４を設け、該駆動ケース４より後方へ走行操作レバー１０等の操縦操作具を設けたハンドル８を設けた農作物収穫機において、ハンドル８の下方に作業者が立乗り可能な搭乗ステップ１００を上下回動可能に設け、該搭乗ステップ１００の下部で前記左右走行装置１００Ｒ，１００Ｌの真後ろ位置に支持輪１０１を設けたことを特徴とする農作物収穫機とした。
【０００９】
請求項２に記載の発明は、前記搭乗ステップ１００の上下回動軸１０２を左右走行装置１００Ｒ，１００Ｌの車軸８３よりも前側に設け、搭乗ステップ１００の後端部が支持輪１０１の接地端より後方に位置することを特徴とする請求項１記載の農作物収穫機とした。
【００１０】
請求項３に記載の発明は、前記搭乗ステップ１００を収納位置に向けて緩やかに回動するように付勢すると共に、搭乗ステップ１００の後端に軟質緩衝材１０４を取り付けたことを特徴とする請求項１または請求項２に記載の農作物収穫機とした。
【００１１】
請求項４に記載の発明は、搭乗ステップ１０５の地上高を作業者が引抜搬送装置２０の先端部を視認出来てさらに引き抜かれて畝上に転がる作物が接触しない範囲で上下調節可能にしたことを特徴とする請求項１から３の何れか１項に記載の農作物収穫機とした。
【００１２】
請求項５に記載の発明は、左右走行装置１００Ｒ，１００Ｌの片側を移動走行装置１００Ｌとして側方へ移動してトレッドを変更可能にし、メインフレーム１の前記移動走行装置１００Ｌ側に駆動ケース４を設け、メインフレーム１の引抜搬送装置２０で搬送する作物の茎を切断する肩揃え装置５１の後方で固定走行装置１００Ｒ側に走行操作レバー１０等の操縦操作具を設けたハンドル８を設けたことを特徴とする請求項１から４の何れか１項に記載の農作物収穫機とした。
【００１３】
請求項６に記載の発明は、前記駆動ケース４の最下部に左右走行装置（１００Ｒ，１００Ｌの出力軸７８を設けると共に、エンジン２の排気管１０５を側方へ向けて設けたことを特徴とする請求項１から５の何れか１項に記載の農作物収穫機とした。
【００１４】
請求項７に記載の発明は、前記引抜搬送装置２０の先端部の地上高を調整するゲージ輪７３の上下調整をハンドル８の近くで行えるようにしたことを特徴とする請求項１から６の何れか１項に記載の農作物収穫機とした。
【発明の効果】
【００１５】
請求項１に記載の発明によれば、走行操作レバー１０等の操縦操作具を設けたハンドル８の下方に作業者が立乗り可能な搭乗ステップ１０５を設けたことにより、作業者は収穫作業中に機体の後方を歩行する必要が無く、労力が軽減される。
【００１６】
また、搭乗ステップ１０５を支持する支持輪１０８が左右走行装置１００Ｒ，１００ＬＬの真後ろ位置にあることで、作物が引き抜かれた後の茎葉部が無い畝溝を支持輪１０８が走行することになって支持輪１０８に茎葉部が絡みつくことが無い。
【００１７】
さらに、搭乗ステップ１０５が上下回動可能に設けられることで、農作物収穫機を旋回する際に搭乗ステップ１０５が邪魔にならない。
請求項２に記載の発明によれば、請求項１の発明の効果に加えて、搭乗ステップ１０５の上下回動軸１０６が左右走行装置１００Ｒ，１００Ｌの駆動軸よりも前側に設けられることで、作業者が搭乗ステップ１０５に登城した際の荷重が左右走行装置１００Ｒ，１００Ｌに加わって、スリップすることが防がれて、走行性や作物の引き抜き機能が向上する。
【００１８】
また、搭乗ステップ１０５の後端部が支持輪１０８の接地端より後方に位置することで、上下回動軸１０６から搭乗ステップ１０５の後端までの長さを長く出来て、搭乗ステップ１０５を持ち上げる際に軽くなる。
【００１９】
請求項３に記載の発明によれば、請求項１または２記載の発明の効果に加えて、作業者が搭乗ステップ１０５を踏み下げれば搭乗位置になり、搭乗ステップ１０５から降りると緩やかに収納位置に戻るので、乗り降り時に安全であり、例え、搭乗ステップ１０５に作業者の足が当たっても軟質緩衝材１０９で衝撃を緩和出来る。
【００２０】
請求項４に記載の発明によれば、請求項１から３の何れか１項に記載の発明の効果に加えて、作業者が引抜搬送装置２０の先端部を視認出来てさらに引き抜かれて畝上に転がる作物が接触しない範囲で搭乗ステップ１０５の地上高を上下調節することで、作業に支障なく、作業者に適した地上高に出来る。
【００２１】
請求項５に記載の発明によれば、請求項１から４の何れか１項に記載の発明の効果に加えて、重量物である駆動ケース４をメインフレーム１の片側に寄せて設けることで引抜搬送装置２０と左右バランスが良くなり、走行安定性が良くなる。
【００２２】
また、駆動ケース４の横にハンドル８を設けられることで、作業者の位置が前側となって引抜搬送装置２０の先端部を見て作物に合わせながら操縦操作を行える。
さらに、肩揃え装置５１の後方に駆動ケース４が無いので、後方から肩揃え装置５１をメンテナンスし易くなる。
【００２３】
請求項６に記載の発明によれば、請求項１から５の何れか１項に記載の発明の効果に加えて、駆動ケース４の大部分が上方となることで作物の茎葉部が長く成長していても引っ掛りにくく、絡み付きを除去する作業が不要になる。
【００２４】
また、エンジン２の排気管１１２が側方へ向いていることで、作物に排気ガスがかからず、作物の商品価値を下げない。
請求項７に記載の発明によれば、請求項１から６の何れか１項に記載の発明の効果に加えて、引抜搬送装置２０の先端部の地上高を作物の生育状況に合わせることがハンドル８の位置にいる作業者が容易に行えて、作業効率が向上する。
【図面の簡単な説明】
【００２５】
【図１】玉葱収穫機の側面図
【図２】玉葱収穫機の平面図
【図３】玉葱収穫機の正面図
【図４】玉葱収穫機の別構成例の正面図
【図５】玉葱収穫機のクローラ走行装置の正断面図
【発明を実施するための最良の形態】
【００２６】
本発明の実施の形態について説明する。
なお、以下の説明では、機体の正面に向かって左を左側、右を右側と称するものとする。
【００２７】
図に示す実施例は、作物収穫機の一種である立ち乗り可能にした歩行型の玉葱収穫機である。
図１、図２で示すとおり、メインフレーム１の左側後部にエンジン２とミッションケース３を内装する駆動ケース４を設け、該駆動ケース４の上部に燃料タンク５を設けるとともに、前部に分岐伝動ケース６を設ける。そして、該分岐伝動ケース６の前部でメインフレーム１の左寄りに側面視「へ」の字形状の左右のハンドル支持フレーム７，７の基部を垂直姿勢で設け、該左右のハンドル支持フレーム７，７の屈曲部より上側を後上がり傾斜姿勢で配置し、該左右のハンドル支持フレーム７，７の後端部を平面視で「コ」の字形状のハンドル８で連結する。該ハンドル８は燃料タンク５よりも機体後方に突出させて配置し、該ハンドル８の左右両側にはサイドクラッチ機構図示省略を入切させるクラッチレバー９，９を各々設ける。
【００２８】
さらに、図２で示すとおり、前記燃料タンク５の右側に機体の前後進及び走行速度を操作する走行操作レバー１０を設けるとともに、左側に収穫作業の入切を切り替える作業操作レバー１１を設ける。
【００２９】
メインフレーム１に対して駆動ケース４が左側でハンドル８が右側であるために、ハンドル８を前側に寄せて後述する引抜搬送装置２０に近づけることが出来て、作業者が引抜搬送装置２０による作物の引き抜き状態を視認し易く、後述する肩揃え装置５１のメンテナンスが後方より行い易い。
【００３０】
なお、ハンドル８を「コ」の字形状で無く、左右後方へ突出する棒状にすれば作業者がハンドル８により接近することが出来て、さらに作物の引き抜き状態を視認し易くなる。
また、左右へ傾けるとサイドクラッチを利かせて旋回するパワステレバー１１１をハンドル８に立設すると、後述する搭乗ステップ１０５に作業者が立ち乗りした際に操縦操作が楽になる。また、パワステレバー１１１を前後に倒すことでゲージ輪７３を上下して引抜搬送装置２０の地上高を変更出来るようにすると良い。ハンドル８の内側にパワステレバー１１１操作時に使用する肘置き台を設けると良い。パワステレバー１１１は作業者が歩行しながら使用することも可能である。
【００３１】
なお、駆動ケース４に内装したエンジン２の出力軸７８を最下部にすることで、駆動ケース４の位置が高くなって、作物の茎葉部が駆動ケース４に絡み付き難くなる。
ハンドル８の下方に搭乗ステップ１０５を設けている。この搭乗ステップ１０５は、メインフレーム１から下方へ向けて設けたステップ取付フレーム１０７に上下回動軸１０６で枢支し、ダンパ図示省略で上方収納位置に向けて緩やかな速度で動くように弾発している。上下回動軸１０６は右側の走行装置１００Ｒの駆動軸よりも前で、搭乗ステップ１０５に加わる作業者の体重が右側の走行装置１００Ｒに加わって機体の浮き上がりを防ぐようになる。
【００３２】
搭乗ステップ１０５の底部に設ける支持輪１０８は、右側の走行装置１００Ｒの真後に位置し、右側走行装置１００Ｒの通った跡を追従する。また、搭乗ステップ１０５の後端が支持輪１０８より僅かに後方へ張り出し、その後端縁にゴム材やスポンジなどによる軟質緩衝材１０９を貼り付けて作業者の足が当たっても損傷しないようにしている。
【００３３】
搭乗ステップ１０５は、畝面からの高さが作物を引っ掛けない程度の高さとしていて、搭乗ステップ１０５に立乗した作業者が引抜搬送装置２０の先端を視認出来るようにしている。なお、上下回動軸１０６の位置と支持輪１０８の高さを変更調節可能にすると良い。
【００３４】
搭乗ステップ１０５の搭乗面を網目にして泥土が落下するようにすると良い。
搭乗ステップ１０５を上方に収納すると、作業者がハンドル８を持って歩行することが出来、機体を後方へ傾けて引抜搬送装置２０の前を浮かせて下からのメンテナンスが可能になる。
【００３５】
支持輪１０８は幅広低接地圧として畝面に食い込まないようにする。
なお、左クローラ走行装置１００Ｌと右クローラ走行装置１００Ｒが四条植えの畝を跨いで走行して二条ずつ収穫する場合に、搭乗ステップ１０５の幅を畝の半分すなわち二条分の幅とすると、未収穫作物の茎葉部が引っ掛からない。
【００３６】
そして、前記分岐伝動ケース６から前側上方に向かって左右の引抜駆動シャフト１２，１２を後下がり傾斜姿勢で設け、該左右の引抜駆動シャフト１２，１２の上端部に左右の引抜駆動プーリ１３，１３を各々装着するとともに、該左右一側の引抜駆動プーリ１３よりも下側に排葉駆動プーリ１４を装着する。また、前記左右の引抜駆動プーリ１３，１３の下部に前後方向の長辺を有する左右の引抜フレーム１５，１５を後上がり傾斜姿勢で各々設け、該左右の引抜フレーム１５，１５の前端部に左右の引抜従動プーリ１６，１６を各々回転自在に設ける。
【００３７】
さらに、該左右の引抜従動プーリ１６，１６と左右の引抜駆動プーリ１３，１３の前後間に亘って複数の左右のテンションローラ１７，１７…を回転自在に設け、左右の引抜従動プーリ１６，１６と左右の引抜駆動プーリ１３，１３と左右のテンションローラ１７，１７…に玉葱の茎葉部を挟持して圃場から引き抜く左右の引抜搬送ベルト１８，１８を夫々巻回する。そして、前記左右の引抜フレーム１５，１５の上方に左右の引抜カバー１９，１９を左右の引抜フレーム１５，１５と平行姿勢、即ち傾斜角度を略同じとする後上がり傾斜姿勢で設けることにより、引抜搬送装置２０が構成される。
【００３８】
また、前記排葉駆動プーリ１４の下方に排葉フレーム２１の基部側を設け、該排葉フレーム２１の端部側を後側の左右一側に向けて突出させ、該排葉フレーム２１の端部側に排葉従動プーリ２２を回転自在に設ける。そして、該排葉駆動プーリ１４と排葉従動プーリ２２に排葉を引っ掛ける排葉ラグ２３ａ…を複数設けた排葉搬送ベルト２３を巻回するとともに、前記排葉フレーム２１の上方に排葉カバー２４を平行姿勢、即ち端部側を後側の左右一側に向けて突出させて配置することにより、排葉搬送装置２５が構成される。
【００３９】
上記構成としたことにより、後述する切断回転刃４９及び切断固定刃で切断した玉葱の茎葉部が引抜搬送装置２０の終端部まで移動すると、茎葉部は排葉ラグ２３ａ…に回収されて搬送され、機体左右一側に突出する排葉搬送装置２５の搬送終端部から機外、または後述する右側駆動輪８４Ｒ上に排出されるため、機体上に茎葉部が残ることが防止され、切断された茎葉部の除去作業が容易になり、メンテナンス性が向上する。
【００４０】
また、図１で示すとおり、前記分岐伝動ケース６の左右両側に左右の偏心カム２６，２６を設け、該左右の偏心カム２６，２６に左右の揺動ロッド２７，２７の後端部を各々設け、該左右の揺動ロッド２７，２７の前端部に上下方向に長辺を有する左右のソイラアーム２８，２８を各々前後回動自在に設ける。該ソイラアーム２８，２８の下部側には上下方向に亘って複数の取付穴２８ａ…を形成し、該取付穴２８ａ…の何れかに土中の玉葱に側方及び下方から接近して周辺の土を揺動して解す左右の掘起しソイラ２９，２９の穴部２９ａ…を合わせ、ボルト等の固定部材２９ｂ…を介して装着する構成とする。
【００４１】
なお、左右の掘起しソイラ２９，２９は下部側を引抜搬送域Ｒ側に屈曲させ、正面視でＬ字形状逆Ｌ字形状に形成している。
さらに、前記引抜搬送装置２０の前端部に設けた左右の引抜従動プーリ１６，１６の左右の回転軸１６ａ，１６ａの上端部を左右の引抜カバー１９，１９を貫通させて上方に突出させ、該左右の回転軸１６ａ，１６ａの上端部に左右の入力プーリ３１，３１を機体前側部分に内装した左右の伝動ケース３４，３４を後上がり傾斜姿勢で左右の引抜カバー１９，１９の上部に設ける。また、該左右の伝動ケース３４，３４の後側に左右の出力プーリ３２，３２を回転自在に各々内装するとともに、該左右の入力プーリ３１，３１と左右の出力プーリ３２，３２に左右の伝動ベルト３３，３３を各々巻回する。
【００４２】
そして、前記左右の出力プーリ３２，３２の上部側に左右の第１ユニバーサルジョイント３５，３５の下端部を装着し、該左右の第１ユニバーサルジョイント３５，３５の上端部に左右の横引起し駆動プーリ３６，３６を各々装着するとともに、該左右の横引起し駆動プーリ３６，３６を装着する左右の横引起しフレーム３７，３７を後上り傾斜姿勢で配置する。該左右の横引起しフレーム３７，３７の後上がり傾斜角度は、前記左右の引抜フレーム１５，１５の後上がり傾斜角度よりも大きく設定する。
【００４３】
そして、該左右の横引起しフレーム３７，３７の下端部に左右の横引起し従動プーリ３８，３８を各々回転自在に設け、該左右の横引起し駆動プーリ３６，３６と左右の横引起し従動プーリ３８，３８の上下間に複数の横引起しテンションプーリ図示省略を設ける。さらに、左右の横引起し駆動プーリ３６，３６と左右の横引起し従動プーリ３８，３８と複数の横引起しテンションプーリにゴムやスポンジ等の弾性体で構成する複数の横引起しラグ３９ａ…を等間隔に設けた左右の横引起しベルト３９，３９を巻回し、該左右の横引起しベルト３９，３９の上方に前記左右の横引起しフレーム３７，３７と平行姿勢で左右の横引起しカバー４０，４０を各々設けることにより、横引起し装置４１が構成される。
【００４４】
なお、前記左右の横引起しベルト３９，３９に設けた横引起しラグ３９，３９…は、先端部同士が引抜搬送装置２０の引抜搬送域Ｒに近接するとともに互いに接触しない位置に配置する。
【００４５】
上記構成により、横引起しラグ３９ａ，３９ａ同士が接触することが防止されるので、接触の衝撃で引き起こし中の茎葉部が落下することが防止され、引抜搬送装置２０で確実に玉葱を圃場から引き抜くことができ、作業能率が向上する。
【００４６】
また、前記左右の出力プーリ３２，３２の下部側に左右の第２ユニバーサルジョイント４２，４２の上端部を設け、該第２ジョイント４２，４２の下端部に左右の肩揃え駆動プーリ４３，４３をそれぞれ設ける。そして、該左右の肩揃えプーリ４３，４３の上部及び下部に、左右の上部肩揃えフレーム４４，４４と左右の下部肩揃えフレーム４５，４５の前端部を設け、該左右の上部肩揃えフレーム４４，４４と左右の下部肩揃えフレーム４５，４５の後端部に左右の肩揃え従動プーリ４６，４６を各々回転自在に装着し、該左右の肩揃え駆動プーリ４３，４３と左右の肩揃え従動プーリ４６，４６に左右の肩揃えベルト５０，５０を無端状に巻回する。
【００４７】
さらに、前記左右一側または左右他側の引抜駆動プーリ１３と左右の引抜従動プーリ１６の前後間に切断出力プーリ４７を回転自在に設け、該切断出力プーリ４７に設ける第３ユニバーサルジョイント４８の下端部に玉葱の茎葉部を切断する切断回転刃４９を着脱自在に設け、左右一側または左右他側の上部肩揃えフレーム４４上に切断固定刃図示省略を着脱自在に設けることにより、引抜搬送装置２０で搬送中の玉葱の上昇を下部肩揃えフレーム４５，４５で制限し、茎葉部の切断位置を所定位置に揃えてから切断する、肩揃え装置５１が構成される。
【００４８】
上記構成により、切断位置が所定位置に揃えられてから茎葉部が切断回転刃４９と切断固定刃に切断されるので、茎葉部が大きく切り残されて作業者が後から手作業で茎葉部を切断する作業が不要となるので、作業者の労力が軽減されるとともに、作業能率が向上する。
【００４９】
また、玉葱が持ち上げられ過ぎ、切断回転刃４９と切断固定刃が玉葱の球形部分、所謂可食部を切断することを防止できるので、玉葱が傷付くことがなく、玉葱の商品価値が維持される。
【００５０】
なお、該切断固定刃は引抜搬送域Ｒ上で切断回転刃４９と重なり合うことにより、玉葱の茎葉部を挟んで切断する構成となり、茎葉部を逃がすことなく切断することができるので、玉葱に茎葉部が切断されずに残り、作業者が手作業で残葉を切断する作業が不要となる。
【００５１】
ただし、玉葱の茎葉部切除する際、球形部分の近傍から切除すると商品価値を有する可食部が傷付き、品質や商品価値の低下を招くので、茎葉部の下端部側は僅かに切り残されるものとする。
【００５２】
また、切断回転刃４９と切断固定刃を着脱自在に設けたことにより、玉葱の乾燥作業を吊り下げて行うときは、茎葉部を切断することなく掘り起こすことができるので、作業条件の適応性の高い作物収穫機となる。
【００５３】
前記肩揃え装置５１の左右後部には、前記分岐伝動ケース６から駆動力を受けて回転する案内駆動プーリ５２，５２を設けた左右の案内駆動ケース５５，５５を後下がり傾斜姿勢で且つ後部側を上下回動自在に設け、該左右の案内駆動ケース５５，５５の後側下部に案内従動プーリ５３，５３を夫々回転自在に設け、該案内駆動プーリ５２，５２と案内従動プーリ５３，５３に案内ベルト５４，５４を巻回して、左右の案内装置５６，５６を形成している。
【００５４】
上記構成により、マルチフィルム等を畝上に敷設して玉葱を栽培しており、移植作業の際に形成する穴部の周縁部と茎葉部が絡み合い、玉葱の引抜収穫の際にマルチフィルムを一緒に持ち上げることがあっても、左右の案内装置５６，５６がマルチフィルム越しに玉葱に接触して後側下方に案内することができるので、玉葱が落下する際にマルチフィルムが極端に重なり合うことが防止され、マルチフィルムの除去作業が容易になるとともに、畝上に掘り起こした玉葱の回収作業が容易になる。
【００５５】
また、左右の案内装置５６，５６を後部側を上下方向に回動可能に構成したことにより、マルチフィルムを敷設しない露地栽培の玉葱を収穫するときなど左右の案内装置５６，５６が不要なときには案内作用部をメインフレーム１側に退避させることができるので、様々な作業条件に適応可能な作物収穫機となる。
【００５６】
上述のとおり、左右の案内装置５６，５６はマルチフィルムに接触し得るので、マルチフィルムの破損を防止すべく、左右の案内ベルト５４，５４はゴムよりもスポンジ等の摩擦力の弱い素材で構成することが望ましい。
【００５７】
前記分岐伝動ケース６の左右他側に第２分岐伝動ケース６ａを設け、該第２分岐伝動ケース６ａの前部から機体前方に向かって出力軸５７を設け、該出力軸５７の前端部に駆動力を左右他側から左右一側に向かう方向に変更するベベルケース５８ａを装着する。該ベベルケース５８ａの内部には、一対のベベルギア図示省略が内装されており、この一対のベベルギアを介して出力ケース５７内の出力軸の駆動力を縦引起し伝動軸５８に伝達する。
【００５８】
そして、該縦引起し伝動軸５８の左右一側端部と左右他側端部と左右方向の略中央部に縦引起し駆動プーリ５９，５９，５９を各々装着し、該縦引起し駆動プーリ５９，５９，５９の左右両側を覆う縦引起しカバー６０，６０，６０を後上がり傾斜姿勢で且つ上下回動自在に装着する。また、該縦引起しカバー６０，６０，６０の下端部に縦引起し従動プーリ６１，６１，６１を各々設け、縦引起し駆動プーリ５９，５９，５９と縦引起し従動プーリ６１，６１，６１に圃場に倒伏している玉葱の茎葉部を引き起こす縦引起しラグ６２ａ…を複数設けた縦引起しベルト６２，６２，６２を巻回して、縦引起し装置６３を構成する。
【００５９】
なお、前記縦引起し装置６３の後上がり傾斜角度は、前記横引起し装置４１の後上がり傾斜角度と略同じ傾斜角度とする。これにより、縦引起し装置６３が引き起こした茎葉部が縦引起しラグ６２ａ…から離れるタイミングで横引き起こし装置４１の横引起しラグ３９ａ…に引き継がれるので、茎葉部を確実に引き起こして引抜搬送装置２０の搬送始端部に案内でき、玉葱の収穫作業能率の向上が図られる。
【００６０】
図１、図２で示すとおり、前記縦引起し伝動軸５８の左右一側端部に第４ユニバーサルジョイント６４の基部側を設け、該第４ユニバーサルジョイント６４の端部側を後方に向けて屈曲させて、畝引起し駆動プーリ６５を装着する。そして、該畝引起し駆動プーリ６５の左右両側を覆う上下方向に長辺を有する畝引起しカバー６６を後上がり傾斜姿勢で且つ前後回動自在に設け、該畝引起しカバー６６の下端部に畝引起し従動プーリ６７を回転自在に装着する。また、該畝引起し駆動プーリ６５と畝引起し従動プーリ６７の前後間に複数のテンションプーリ図示省略を設け、畝引起し駆動プーリ６５と畝引起し従動プーリ６７とテンションプーリに畝引起しベルト６８を巻回する。
【００６１】
さらに、該畝引起しベルト６８にはゴムやスポンジ等の弾性体で構成する複数の畝溝引起しラグ６８ａ…を所定間隔ごとに設けることにより、機体左右一側の畝溝に垂れ下がっている玉葱の茎葉部を引き起こす畝溝引起し装置６９が構成される。
【００６２】
さらに、前記縦引起し伝動軸５８の左右一側端部で且つ第４ユニバーサルジョイント６４の後方にゲージ輪昇降ケース７０を設け、該ゲージ輪昇降ケース７０の下部に中空の上部アーム７１を設け、該上部アーム７１の中空部にゲージ輪７３を回転自在に装着する下部アーム７２を上下動自在に設ける。また、該上部アーム７１と下部アーム７２にパンタグラフ機構７４の上下端部を各々設けるとともに、該パンタグラフ機構７４の支点軸に設けた支持ローラ７４ａ上に前記畝引起しカバー６６の左右一側に設ける受プレート６６ａを載置する。
【００６３】
そして、前記駆動ケース４に固定プレート７５を設ける、該固定プレート７５と前記ゲージ輪昇降ケース７０の後部の間に前後長の調節が可能なターンバックル７６を設け、該ターンバックル７６を伸張または収縮させて前記下部アーム７２を上下動させるゲージ輪調節ハンドル７７を設ける。
【００６４】
なお、前記畝溝引起し装置６９は、正面視で上端部側から下端部側に向かうほど機体左右一側に傾斜する姿勢で配置する。この構成により、畝に沿って垂れ下がっている茎葉部に畝引起しラグ６８ａ…が接触しやすい配置となるので、畝溝に垂れ下がっている茎葉部を確実に引き起こし、ゲージ輪７３に茎葉部が踏み付けられて引き起こし作業や引抜収穫作業に滞りが生じることが防止される。
【００６５】
また、上端部側に向かうほど畝引起しラグ６８ａ…が機体左右一側の縦引起しベルト６２に接近する構成となるので、畝溝から引き起こした茎葉部が縦引起し装置６３に引き継がれやすくなり、玉葱の引抜収穫作業能率が向上するとともに、圃場に残された玉葱を作業者が拾い集める作業が省略され、作業者の労力が軽減される。
【００６６】
そして、前記ゲージ輪７３は上下位置にかかわらず畝溝引起し装置６９よりも後側に位置する構成とする。一例として、畝溝引起し装置６９の後側、即ち畝溝の茎葉部の引起し作用域でない領域が、ゲージ輪７３上に乗った状態としてもよい。また、前記ターンバックル７６は前後端部が屈曲自在なユニバーサルジョイントを用いると、角度の変化に対応しやすく、ゲージ輪７３の上下位置調節の幅が広くなる。
【００６７】
上記構成としたことにより、畝溝に垂れ下がっている収穫畝上の玉葱の茎葉部をゲージ輪７３が踏み付ける前に引き起こすことにより、縦引起し装置６３や横引起し装置４１が確実に玉葱の茎葉部を引き起こすことができるので、引き起こされた茎葉部を引抜搬送装置２０で挟持して土中から引き抜くことができ、作業者が手作業で残された玉葱を引き抜く作業が不要となり、作業者の労力が軽減される。
【００６８】
また、収穫畝上の玉葱の茎葉部と隣接畝上の玉葱の茎葉部が畝溝に垂れ下がって絡み合っていても、茎葉部同士を持ち上げて絡み合いを解くことができるので、隣接条の玉葱を半端に引き上げることが防止され、引抜搬送装置２０で確実に玉葱を引き抜くことが可能になる。
【００６９】
そして、ゲージ輪調節ハンドル７７を操作してゲージ輪７３を設けた下部アーム７２を上昇または下降させることにより、横引起し装置４１や引抜搬送装置２０の作用位置を玉葱の生育状態や畝の高さに合わせて変更することができるので、茎葉部の引き起こしや引抜搬送が確実に行われ、作業能率が向上する。
【００７０】
さらに、上部アーム７１と下部アーム７２を連結するパンタグラフ７４の回動部を前後方向に摺動自在に設けたことにより、ゲージ輪７３の上下位置の変更に連動して畝溝引起し装置６９の作用位置が自動的に上下動されるので、畝溝引起し装置６９の調節作業が不要となり、作業能率が向上する。
【００７１】
図１、図２で示すとおり、前記駆動ケース４の左右一側に右側出力軸７８Ｒを設け、該右側出力軸７８Ｒに駆動スプロケット１００ｄを装着し、駆動ケース４に前下方に向けて設けるシリンダフレーム１０１から前下方に突出するロッド１０２の先端に従動スプロケット１００ｃを片持ち状態で枢支し、シリンダフレーム１０１の下端部にイコライザプレート１０３を枢支軸１０４で枢支し、このイコライザプレート１０３に片持ち状態で枢支する前後のイコライザ輪１００ａ，１００ｂと前記駆動スプロケット１００ｄと従動スプロケット１００ｃにクローラベルト１００ｅを巻回して左右クローラ走行装置１００Ｌ，１００Ｒを構成する。なお、クローラベルト１００ｅは、外周にスプロケットの係合穴を形成しない方が作物の茎葉部が挟まらなくてよい。また、従動スプロケット１００ｃとイコライザ輪１００ａ，１００ｂは、畝の内側を解放側として片持ち状態で枢支しているので、クローラベルト１００ｅとの間に茎等のゴミが溜まり難い。
【００７２】
従動スプロケット１００ｃはイコライザ輪１００ａ，１００ｂよりも前上方の圃場面から浮いた位置にあってエアー圧でクローラベルト１００ｅにテンションを付与し、イコライザプレート１０３を枢支する枢支軸１０４は後側のイコライザ輪１００ｂよりも前側に位置して、イコライザプレート１０３の一定角度以上の後方への回動を規制して、メインフレーム１を後方へ傾けると前側のイコライザ輪１００ａが浮き上がって後側のイコライザ輪１００ｂでメインフレーム１を支持するようになって、左右旋回が容易になる。
【００７３】
左クローラ走行装置１００Ｌと右クローラ走行装置１００Ｒの下部先端には、走行分草杆１１４を設けている。この走行分草杆１１４は、底部を畝溝に添わせるそり状にしていて跳ね上げて非作用にすることもできる。
【００７４】
なお、左クローラ走行装置１００Ｌと右クローラ走行装置１００Ｒの上部と側部を覆うカバーを設けて、跳ね上がる茎葉部を畝溝に落とすようにするとよい。
上記構成によれば、スイング調節ハンドル８７を操作して右側シリンダフレーム１０１の後上がり傾斜角度を変更すると、左右クローラ走行装置１００Ｌ，１００Ｒの上下位置が変更されるため、傾斜地や畝が崩れた圃場で作業をするときは左右クローラ走行装置１００Ｌ，１００Ｒの上下位置を変更して機体を圃場面に対して略水平姿勢とすることができるので、玉葱の茎葉部の引き起こしや玉葱の引き抜きが確実に行われるため、抜き残した玉葱を作業者が手作業で引き抜く作業が不要となり、作業者の労力が軽減される。
【００７５】
また、調節ロッド８６の前端部に上部フレーム７１を上下回動自在に装着したことにより、スイング調節ハンドル８７を操作して右クローラ走行装置１００Ｒを上下回動させると上部フレーム７１が連動して前後回動するので、右クローラ走行装置１００Ｒの上下位置に連動してゲージ輪７３の接地高さを変更することができ、調節作業を容易に行えるとともに、畝溝茎葉引起し装置６９や縦引起し装置６３の茎葉部の引起し高さが自動的に適切な位置に調節されるので、引抜搬送作業が能率よく行われる。
【００７６】
一方、図２で示すとおり、機体左右他側の第２分岐伝動ケース６ａの左右他側端部に右側出力軸７８Ｒを左右方向にスライド自在に設け、該第２分岐伝動ケース６ａの後部に取付プレート８８を設け、該取付プレート８８と駆動ケース４とでトレッド調節シリンダ８９の固定側８９ａを支持する。そして、前記左側出力軸７８Ｌに駆動スプロケット１００ｄを装着し、右クローラ走行装置１００Ｒを後上がり傾斜姿勢とし、機体前側に位置する右クローラ走行装置１００Ｒの下端側に従動スプロケット１００ｃを回転自在に内装し、イコライザ輪１００ａ，１００ｂと駆動スプロケット１００ｄと従動スプロケット１００ｃにクローラベルト１００ｅを巻回して右クローラ走行装置１００Ｒを構成する。
【００７７】
そして、前記トレッド調節シリンダ８９の移動側８９ｂを右側シリンダフレーム１０１Ｒの上端部に連結し、トレッド調節シリンダ８９を伸張させると移動部８９ｂと左側伝動軸７８Ｌが左右他側方向に移動して側シリンダフレーム１０１Ｒがメインフレーム１から離間し、右クローラ走行装置１００Ｒと左クローラ走行装置１００Ｌの左右間隔が広くなる構成とする。一方、前記トレッド調節シリンダ８９を収縮させたときは、移動部８９ｂと右側伝動軸７８Ｒが左右一側方向に移動して右クローラ走行装置１００Ｒがメインフレーム１に接近し、左右クローラ走行装置１００Ｌ，１００Ｒの左右間隔が狭くなる構成とする。
【００７８】
上記構成により、畝の左右幅に合わせて右クローラ走行装置１００Ｒの左右位置を変更することができるので、畝の左右幅の異なる圃場で作業をするときに右クローラ走行装置１００Ｒが畝上を移動させる必要が無く、安定した姿勢で玉葱の引抜収穫作業が行え、作業能率が向上する。
【００７９】
また、機体を軽トラック等の荷台に積み込むときや、倉庫等に収容する際には左右のクローラ走行装置１００Ｌ，１００Ｒの左右間隔を限界まで狭くすることにより、機体の左右幅を短くすることができるので、機体の積み込み作業や収納作業が能率よく行える。
【００８０】
なお、左クローラ走行装置１００Ｌと右クローラ走行装置１００Ｒのトレッド変更は、右クローラ走行装置１００Ｒをトレッド調節シリンダ８９で移動させ、左クローラ走行装置１００Ｌを手動で移動させるようにしても良い。
【００８１】
また、図５で示すとおり、前記メインフレーム１の左右一側で且つ右側駆動輪８４Ｒの上方に、排葉搬送装置２５の終端部から落下してくる茎葉部を受ける駆動輪カバー９０を設ける構成としてもよい。該駆動輪カバー９０の後部側には右側駆動輪８４Ｒに沿う円弧部９０ａを構成し、該円弧部９０ａよりも前側には平坦部９０ｂを形成する。
【００８２】
上記構成により、排葉搬送装置２５から排出される茎葉部を駆動輪カバー９０の平坦部９０ｂに載置する、または円弧部９０ａに沿って畝溝に落下させることができるので、茎葉部が右側駆動輪８４Ｒの車軸８３やスポークに絡み付くことが防止され、過負荷により駆動が停止することがなく作業能率が向上するとともに、絡み付いた茎葉部を除去する作業が不要となり、メンテナンス性が向上する。
【００８３】
また、平坦部９０ｂに茎葉部を載置することにより、切断された茎葉部をまとめて回収することができるので、切断した茎葉部を集める作業が容易になり、作業者の労力が軽減されるとともに、作業能率が向上する。
【００８４】
なお、切断した茎葉部を圃場内で生分解させて肥料とするときは、作業者が平坦部９０ｂに載った茎葉部を円弧部９０ａ側に移動させたり、掴んで圃場に撒いたりすればよい。
前述のとおり、本件の作物収穫機には左右の掘起しソイラ２９，２９が設けられており、玉葱の収穫時には畝の端からこの左右の掘起しソイラ２９，２９を進入させ、玉葱の左右両側及び下方から振動を与えて周囲の土を解す構成としている。
【符号の説明】
【００８５】
１      メインフレーム
２      エンジン
４      駆動ケース
８      ハンドル
１０      走行操作レバー
１１      作業操作レバー
２０      引抜搬送装置
７３      ゲージ輪
７８      出力軸
１００Ｒ  右クローラ走行装置
１００Ｌ  左クローラ走行装置  
１０３    回動軸
１１２    排気管
【図１】
2014007978.tif 000003
【図２】
2014007978.tif 000004
【図３】
2014007978.tif 000005
【図４】
2014007978.tif 000006
【図５】
2014007978.tif 000007